(57)【要約】【課題】  複数枚のパネルが継手を介して折畳み可能に連結し、吊車を介して上レールに吊設する折畳み式扉の提供。【解決手段】  吊車は１枚おきのパネル中立軸上端に取付け、パネル２の竪框１６に形成した溝穴に取付け板２０を嵌めて継手３と成る蝶番１５を取付け、各蝶番１５の軸受け穴に軸２２を嵌めて各パネル２，２を連結し、蝶番１５の軸２２と対向する側にはガイド部材１２を設けると共にガイド部材１２のガイド穴１３に落し棒１０を嵌め、折畳み扉を伸長して間口を閉じた場合に床面に設けた落し穴１１に上記落し棒１０を嵌入する。【選択図】    図１
2015014116.tif 000002
【特許請求の範囲】
【請求項１】
複数枚のパネルが継手を介して折畳み可能に連結し、吊車を介して上レールに吊設される折畳み式扉において、上記吊車は１枚おきのパネル中立軸上端に取付け、パネルの竪框に形成した溝穴に取付け板を嵌めて継手と成る蝶番を取付け、各蝶番の軸受け穴に軸を嵌めて各パネルを連結し、蝶番の軸と対向する側にはガイド部材を設けると共にガイド部材のガイド穴に落し棒を嵌め、折畳み扉を伸長して間口を閉じた場合に床面に設けた落し穴に上記落し棒を嵌入することを特徴とする折畳み式扉。
【請求項２】
上記折畳み式扉は引手と錠を備えてパネルの１／２幅をした先端パネルを有し、該先端パネルは上端に吊車を備えて常に上レールと平行を保ち、先端パネルの次に幅寸法が１／２のパネルを有し、後方端にはパネルの１／２の幅を有す後端パネルを備えた請求項１記載の折畳み式扉。
【請求項３】
上記先端パネルには引手部材を取付け、この引手部材に引手と錠を取付けた請求項２記載の折畳み式扉。
【発明の詳細な説明】
【技術分野】
【０００１】
本発明は複数枚のパネルが継手を介して折畳み出来るように連結した折畳み式扉に関するものである。
【背景技術】
【０００２】
従来において、複数枚のパネルが継手を介して折畳み可能に連結した折畳み式扉は店舗などの間口（入口）に多用されている。この折畳み式扉は天井に設けた上レールに吊設され、床に敷設した下レールにガイドされるもので、折畳み式扉の上端には吊車が取付けられ、下端にはスライダーを設けている。従って、吊車が上レールに沿って移動するならば、折畳み式扉は伸長したり又は折畳まれて間口を開閉することが出来る。この場合、下端に設けているスライダーは下レールのガイド溝に沿って移動する。
【０００３】
ところで、図１2は折畳み式扉を示す概略図であるが、同図に示すように縦長の長方形をした複数枚のパネル（イ）、（イ）・・・は継手を介して連結され、継手は主継手（ロ）、（ロ）・・・と従継手（ハ）、（ハ）・・・を有している。主継手（ロ）、（ロ）・・・はその上端に吊車（ニ）、（ニ）・・・を取着し、下端にはスライダー（図示なし）を延ばしている。そして、戸先側パネルの先端と戸尻側パネルの先端にも吊車（ニ）を取着している。
【０００４】
そこで、該折畳み式扉を同図に示すように折畳む場合、主継手（ロ）、（ロ）・・・は上レール及び下レールと同一面に位置するが、従継手（ハ）、（ハ）・・・は上レール及び下レールからはみ出すことになる。従って、折畳み扉が折畳まれるならば、パネル（イ）、（イ）・・・は間口の正面側又は背面側へ張り出すことになり、その為に、張り出すパネル（イ）、（イ）・・・は障害になることが多い。
【０００５】
また、上レール及び下レールから張り出したパネル（イ）、（イ）・・・は、片持ち支持状態と成って支持され、パネル（イ）、（イ）・・・の重量に基づくモーメントが上レール及び下レールの側面に作用し、同時に吊車（ニ）、（ニ）・・・及びスライダーにも側方からの力が働く。勿論、主継手（ロ）、（ロ）・・・にも作用する為に折畳み式扉にガタが発生し、折畳み操作に支障を来す。
【０００６】
一方、折畳み式扉が伸長して間口を閉鎖する場合、上レール及び下レールから張り出した従継手（ハ）、（ハ）・・・が主継手（ロ）、（ロ）・・・と同一面となる必要があり、従継手（ハ）、（ハ）・・・は上レール及び下レールに拘束される。すなわち、従継手（ハ）、（ハ）・・・がフリーな状態であれば、上レール及び下レールに沿って伸長した折畳み式扉はガタ付いて安定性を欠く。その為に、折畳まれている折畳み式扉の戸先を引いて伸長する際、従継手（ハ）、（ハ）・・・が上レール及び下レールに沿って拘束されるようにガイド装置を設けている。
【０００７】
ところで、比較的簡易な構造として構成した折畳み式扉が知られている。この折畳み式扉を構成するパネルは継手を介して連結し、パネルの中立軸の上端に吊車を取付けて構成している。このように構成した折畳み式扉では、継手にモーメントが発生しない為にガタ付きは少なく、何時までも比較的スムーズな開閉操作を行うことが出来る。そして、簡易な構造であることから下レールはなく、下レールにガイドされるスライダーを備えていない。
【０００８】
そこで、折畳み扉が伸長して間口を閉じた場合に、落し棒を落として床面に設けた落し穴に嵌めるようにしている。図9はパネル表面の下端部に落し棒（ホ）を取付けた場合であるが、落し棒（ホ）を収容している落し本体（ヘ）をパネル下端部表面に取付けることで、折畳み式扉を折畳む際に落し本体（ヘ）が障害となって折畳み幅が大きく成る。同図の（ａ）は折畳み式扉が折畳まれた状態の横断面図である。
また、図１０に示すように、落し棒（ホ）をパネル（イ）の竪框（ト）の内部に収容して取付ける場合もあるが、押出し成形して形成される竪框（ト）の内部空間に落し棒（ホ）が取付けられる落し本体（ヘ）を収容するには、内部空間を大きくしなくてはならず、その為に、竪框（ト）の寸法が大きくなり、他の竪框（ト）とのバランスが崩れてパネル（イ）の外観が損なわれる。
【０００９】
そして、図１１はパネル（イ）、（イ）の継手構造を示す実施例であり、上下端部と中間部に蝶番（チ）、（チ）・・・を取着して両パネル（イ）、（イ）を連結している。ここで、蝶番（チ）、（チ）・・・の蝶片（リ）、（リ）・・・はパネル（イ）、（イ）の竪框（ト）、（ト）の側端面にネジ止めされるが、ネジ頭が竪框（ト）、（ト）の側端に露出することでパネル（イ）、（イ）の外観が損なわれる。また、蝶番（チ）、（チ）・・・を竪框（ト）、（ト）にネジ止めにて所定の位置に固定するには専用の治具を必要とするなど取付けに手間がかかる。
【発明の開示】
【発明が解決しようとする課題】
【００１０】
このように、従来の折畳み式扉には上記のごとき問題がある。本発明が解決しようとする課題はこれら問題点であり、伸長した状態であっても折畳み状態であってもバランスが保たれると共に、伸縮操作がし易く、また外観が損なわれない折畳み式扉を提供する。
【課題を解決するための手段】
【００１１】
本発明の係る折畳み式扉は複数枚のパネルが継手を介して連結し、そして、各パネルの中立軸上端に吊車を取付けている。そこで、上レールに吊車が載ることで該折畳み式扉は吊設され、上レールに沿って吊車が移動することで折畳み式扉は伸長しまた折畳まれる。本発明では下レールを敷設せず、その為に折畳み扉の下端にスライダーを設けていない。そこで、折畳み式扉を伸長した場合に下端部を床面に固定する為に下方へ降下して床面に設けた落し穴に嵌る落し棒を取付けている。
【００１２】
ところで、本発明の折畳み式扉では該落し棒を両パネル間に形成される隙間に取付けられ、該落し棒は上下動することが出来る。そして、各パネルを連結する継手蝶番は竪框に取付けられるが、蝶番の取付け部は竪框に設けた溝穴に嵌り、継手蝶番の穴に軸が嵌って連結される。また、戸先パネル（先端パネル）には引手部材を取付け、引手部材には引手と錠を取付けている。
【発明の効果】
【００１３】
本発明に係る折畳み式扉は複数枚のパネルが継手を介して連結した構造であり、その為に伸長したり折畳むことが出来る。そして、上レールに載って折畳み扉を吊設する吊車はパネル中立軸の上端に取着されることで重量のバランスが保たれ、継手に無理な力がかからない。従って、何時までもスムーズな折畳み操作を行うことが出来る。
【００１４】
そして、伸長した場合に折畳み扉の下端部がガタ付かないように落し棒を備え、この落し棒を下すことで床面に設けた落し穴に嵌ることが出来る。ところで、該落し棒はパネル間に設けている継手付近の小さい隙間に取付けられている。また、各パネルを連結する継手蝶番は、パネルの竪框に設けた溝穴に取付け部が嵌って取着され、その為に従来のように取付け部（蝶片）が露出することはなく、折畳み式扉の外観は損なわれない。
【図面の簡単な説明】
【００１５】
【図１】本発明に係る折畳み式扉を示す実施例で、折畳み扉が伸長し間口を閉じている場合。
【図２】本発明に係る折畳み式扉を示す実施例で、折畳み扉が折畳まれて間口が開口している場合。
【図３】隣り合うパネル間に落し棒を取付けた実施例。
【図４】落し棒を取付けた折畳み扉で、（ａ）はパネルが折畳まれている場合の断面図、（ｂ）は逆方向に折畳まれる場合の断面図、（ｃ）は折畳み扉が伸長している場合の断面図、（ｄ）は折畳み扉の正面図。
【図５】継手構造を示す断面図と正面図。
【図６】（ａ）は図５のＡ−Ａ断面拡大図、（ｂ）は図５のＢ−Ｂ断面拡大図。
【図７】蝶番と共に落し棒を収容するガイド部材を取付けた場合の斜視図とＣ矢視拡大図。
【図８】（ａ）は本発明の折畳み式扉の先端パネル、（ｂ）は従来の折畳み式扉の引手部材。
【図９】パネル下端部表面に落し棒と取付けた従来の折畳み式扉。
【図１０】パネルの縦框下端部に落し棒を収容して取り付けた従来の折畳み式扉。
【図１１】従来の折畳み式扉におけるパネルの連結継手。
【図１２】折畳み式扉を示す概略図。
【発明を実施するための形態】
【００１６】
図１、図２は本発明に係る折畳み式扉を示す実施例であり、図１は伸長した状態の折畳み式扉１、図２は折畳まれた場合の折畳み式扉１をそれぞれ表している。そして、同図の２はパネル、３は継手、４は引手側の先端パネル、５は吊元側の後端パネルを表し、複数枚のパネル２，２・・・、及び先端パネル４、及び後端パネル５は継手３，３・・・を介して折畳み出来るように連結している。
【００１７】
そして、１枚おきにパネル２，２・・・の中立軸の上端には吊車（図示なし）が取着され、該吊車は上枠６に形成している上レールに載って折畳み式扉１を吊設している。先端パネル４とパネル２との間には先端パネル４と同じ幅寸法でパネル２の１／２となるパネル２ａが連結し、また、後端パネル５も先端パネル４と同じ幅寸法でパネル２の１／２幅としている。
【００１８】
そして、折畳み扉１が折畳まれる場合、図２に示すように先端パネル４は向きを変えることなくスライドし、その他のパネル２，２・・・は後方側（吊元側）に折畳まれる。先端パネル４にはその中央部に引手部材７が取着され、該引手部材７には引手８が取付けられている。また、引手部材７には伸長して間口を閉じた場合にロックする為の錠９を備えている。先端パネル４は幅寸法がパネル２の１／２であるが、その外観は他のパネル２，２・・・と調和しており、その為にパネル２，２・・・、先端パネル４、及び後端パネル５にガラス板などの透明板を嵌めるならば、店舗内部が見える面積は大きくなる。
【００１９】
図８は先端パネルを示しているが、（ａ）は本発明に係る折畳み式扉の先端パネル４を表し、（ｂ）は従来の折畳み式扉の先端パネル（ヌ）である。このように従来の折畳み式扉では、先端パネル（ヌ）そのものが引手部材として構成し、これに対して本発明の先端パネル４はその中間部に引手部材７を取付けている。従って、引手部材７以外の領域には他のパネル２と同じく透明なガラス板が嵌っており、その為に店舗の間口が広く見えるようになる。
【００２０】
ところで、図１、図２に示しているように本発明の折畳み式扉１は床レールを備えておらず、その為に、図１のように伸長した場合に折畳み式扉１の下端部は安定せず、パネル２の表面側を押圧するならば揺れ動くことになる。そこで、折畳み式扉１には落し棒１０を備え、該落し棒１０が下がるならば床面に設けた落し穴１１に嵌ることが出来るようにしている。
【００２１】
図３は折畳み式扉１に落し棒１０を取付けた場合であり、該落し棒１０は左右のパネル２，２間に取付けられる。すなわち、パネル２，２間には両パネル２，２を連結する為の継手３が設けられ、該継手３の反対面側に取付けられる。パネル２，２の間にはガイド部材１２が取着され、このガイド部材１２のガイド穴１３に落し棒１０が嵌っている。
【００２２】
落し棒１０にはツマミ１４が設けられて該ツマミ１４はガイド部材１２から外へはみ出している。そこで、ツマミ１４を持って押し下げるならば、落し棒１０の下端は落し穴１１に嵌り、その為に折畳み式扉１の下端部は落し棒１０を介して床面に固定される。ここで、折畳み式扉１に取付ける落し棒１０は適当な箇所に取付けられ、必ずしも１か所に限るものではない。
【００２３】
図４は落し棒１０を取付けた折畳み扉１の正面図と横断面を示している。（ａ）はパネル２，２が折畳まれた場合の横断面図、（ｂ）はパネル２，２が折畳み方向とは反対方向に屈曲した場合の横断面図、（ｃ）はパネル２，２・・が直線状に伸長している場合の横断面図、（ｄ）はパネル２，２・・が伸長している場合の正面図をそれぞれ表している。
【００２４】
パネル２，２・・・を連結する継手３，３・・・はその位置はジグザグをなし、折畳み式扉１の正面側と背面側とに交互に配置される。その為に、各パネル２，２・・・は図２に示すように継手３，３・・・を介して折り畳まれる。そして、落し棒１０は継手３の反対面側に取付けられ、折り畳まれる際には障害にならない位置としている。
【００２５】
すなわち、図４に示すように折畳み扉１が折畳まれた場合、落し棒１０を収容しているガイド部材１２は外にはみ出すことになり、折り畳まれるパネル２，２・・・と干渉することはない。ここで、落し棒１０を収容するガイド部材１２は継手３を構成する上下蝶番１５,１５に挟まれ、該蝶番１５，１５の軸２２を介して取付けている。
【００２６】
図５は隣り合うパネル２ａ，２ｂを連結する継手構造を示す実施例である。パネル２ａには、下端部、中間部、及び上端部に蝶番１５ａ，１５ａ，１５ａを取付け、パネル２ｂには同じく下端部、中間部、上端部に蝶番１５ｂ，１５ｂ，１５ｂを取付けている。ここで、蝶番１５ａ，１５ａ，１５ａは蝶番１５ｂ，１５ｂ，１５ｂより下側に位置しており、各々の蝶番１５ａと１５ｂは軸２２を介して連結している。
【００２７】
図６（ａ）は図５のＡ−Ａ断面拡大図、図６（ｂ）は図５のＢ−Ｂ断面拡大図をそれぞれ表している。パネル２は両竪框１６，１６と上框１７、下框１８、及び中框１９が枠組した枠体として構成し、該枠体中にはガラス板又はプラスチック板が嵌っている。そして、パネル２ａはその中立軸の上端に吊車（図示なし）を取着し、該吊車にてパネル２ａを吊設すると共に、隣のパネル２ｂを保持している。その為に、パネル２ａに取着した各蝶番１５ａ，１５ａ，１５ａの上にパネル２ｂに取着した各蝶番１５ｂ，１５ｂ，１５ｂが載っている。すなわち、蝶番１５ａ，１５ａ，１５ａ、１５ｂ，１５ｂ，１５ｂを介して隣り合うパネル２ｂを保持している。
【００２８】
竪框１６ａ，１６ｂはその断面を概略コ形とし、該竪框１６ａ，１６ｂに形成した溝穴には蝶番１５ａ，１５ｂの取付け板２０ａ，２０ｂが嵌り、そして目板２１ａ，２１ｂが嵌っている。すなわち、竪框１６ａの下端部、中間部、上端部に蝶番１５ａ，１５ａ，１５ａの取付け板２０ａ，２０ａ，２０ａが溝穴２３ａに嵌り、上下の取付け板２０ａ，２０ａの間には目板２１ａが嵌り、所定の位置に該取付け板２０ａ，２０ａ，２０ａが位置決めされる。そして、上端と下端にはキャップが嵌ってネジ止めされている。目板２１ａと取付け板２０ａを溝穴２３ａに順次嵌めることで所定の位置に蝶番１５ａ、１５ａ，１５ａが配置される。
【００２９】
同じく、竪框１６ｂの下端部、中間部、上端部に取付けている蝶番１５ｂ，１５ｂ，１５ｂの取付け板２０ｂ，２０ｂ，２０ｂが溝穴２３ｂに嵌り、上下取付け板２０ｂ，２０ｂの間には目板２１ｂが嵌り、所定の位置に該取付け板２０ｂ，２０ｂ，２０ｂが位置決めされる。そして、上端と下端にはキャップが嵌ってネジ止めされている。このように、目板２１ｂと取付け板２０ｂを溝穴２３ｂに順次嵌めることで所定の位置に蝶番１５ｂ，１５ｂ、１５ｂが配置される。
そして、図６（ｂ）に示すように、それぞれの蝶番１５ａ，１５ｂの軸受け穴２４には軸２２が嵌って互いに連結されている。
【００３０】
従って、蝶番１５ａ，１５ｂ・・・を竪框１６ａ，１６ｂに形成した溝穴２３ａ，２３ｂに取付け板２０ａ，２０ｂ・・・を嵌めて取付けることでパネル表面にネジ止めするネジ頭が露出することはない。また、目板２１ａ，２１ｂ・・・を溝穴２３ａ，２３ｂに嵌めることで、各蝶番１５ａ，１５ａ，１５ａ，１５ｂ，１５ｂ，１５ｂは、それぞれの位置に正しく配置することが出来る。
【００３１】
ところで、落し棒１０が収容されるガイド部材１２の具体的な取付け構造は限定しないが、例えば図３に示すように軸受け部２６からアーム２５を延ばし、アーム先端にガイド部材１２を設けている。すなわち、蝶番１５に嵌る軸２２が延びて嵌入する軸受け部２６とガイド部材１２を一体的に成形することで、該蝶番１５と共にガイド部材１２は竪框１６に取付けることが出来る。
【００３２】
図７はガイド部材１２と蝶番１５との関係を示しているが、ガイド部材１２には軸受け部２６を一体的に形成し、この軸受け部２６には上下の蝶番１５，１５に挟まれると共に軸２２が嵌入することで取付けられる。図７の（ａ）は蝶番１５，１５に挟まれて取付けられているガイド部材１２の斜視図を示し、（ｂ）はＣ矢視の拡大図である。
【符号の説明】
【００３３】
１   折畳み式扉
２   パネル
３   継手
４   先端パネル
５   後端パネル
６   上枠
７   引手部材
８   引手
９   錠
10   落し棒
11   落し穴
12   ガイド部材
13   ガイド穴
14   ツマミ
15   蝶番
16   縦框
17   上框
18   下框
19   中框
20   取付け板
21   目板
22   軸
23   溝穴
24   軸受け穴
25   アーム
26   軸受け部
【図１】
2015014116.tif 000003
【図２】
2015014116.tif 000004
【図３】
2015014116.tif 000005
【図４】
2015014116.tif 000006
【図５】
2015014116.tif 000007
【図６】
2015014116.tif 000008
【図７】
2015014116.tif 000009
【図８】
2015014116.tif 000010
【図９】
2015014116.tif 000011
【図１０】
2015014116.tif 000012
【図１１】
2015014116.tif 000013
【図１２】
2015014116.tif 000014